(57)【要約】【課題】  複写物の管理を容易に行う。【解決手段】  印刷装置１００は、無線タグ付き記録紙を収容する無線タグ付き記録紙収容部１１４と、無線タグなし記録紙を収容する普通記録紙収容部１１６と、印刷対象の画像データを取得する画像データ取得部１０８と、画像データを印刷する印刷処理部１２０と、画像データが管理対象データであるか否かを検出する複写管理制御部１１０と、複写管理制御部１１０の検出結果に基づき、画像データが管理対象データの場合は無線タグ付き記録紙収容部１１４を選択し、画像データが管理対象データでない場合は普通記録紙収容部１１６を選択して、選択した収容部から記録紙を印刷処理部１２０に供給する記録紙選択供給部１１２と、を含み、印刷処理部１２０は、記録紙選択供給部１１２が供給した記録紙に画像データを印刷する。【選択図】        図１
2006116746.tif 000002
【特許請求の範囲】
【請求項１】
無線タグ付き記録紙を収容する第一の記録紙収容部と、
無線タグなし記録紙を収容する第二の記録紙収容部と、
印刷対象の画像データを取得する画像データ取得手段と、
前記画像データを印刷する印刷手段と、
前記画像データが管理対象データであるか否かを検出する検出手段と、
前記検出手段の検出結果に基づき、前記画像データが管理対象データの場合は前記第一の記録紙収容部を選択し、前記画像データが管理対象データでない場合は前記第二の記録紙収容部を選択して、選択した収容部に収容された記録紙を前記印刷手段に供給する記録紙供給手段と、
を含み、
前記印刷手段は、前記記録紙供給手段が供給した記録紙に前記画像データを印刷することを特徴とする印刷装置。
【請求項２】
請求項１に記載の印刷装置において、
前記画像データが管理対象データの場合に、前記印刷手段に供給された記録紙に付された無線タグから識別情報を読み取る第一のタグ情報読取手段と、
前記第一のタグ情報読取手段が読み取った前記識別情報に対応づけて、前記画像データの複写管理情報を記憶する管理情報記憶手段と、
をさらに含むことを特徴とする印刷装置。
【請求項３】
請求項１に記載の印刷装置において、
前記画像データが管理対象データの場合に、前記印刷手段に供給された記録紙に付された無線タグから識別情報を読み取る第一のタグ情報読取手段と、
前記画像データの複写管理情報を、前記第一のタグ情報読取手段が読み取った前記識別情報に対応づけて他の装置に送信する送信手段と、
をさらに含むことを特徴とする印刷装置。
【請求項４】
請求項１乃至３いずれかに記載の印刷装置において、
前記画像データが管理対象データの場合であって、前記印刷手段に供給された記録紙に付された無線タグに情報書込が可能な場合に、前記無線タグに、当該画像データの複写管理情報を書き込むタグ情報読取書込手段をさらに含むことを特徴とする印刷装置。
【請求項５】
請求項１乃至４いずれかに記載の印刷装置において、
原稿を読み取り、読み取った原稿に基づく画像データを生成する原稿読取手段と、
前記原稿に無線タグが付されている場合、当該無線タグから情報を読み取る第二のタグ情報読取手段と、
をさらに含み、
前記画像データ取得手段は、前記原稿読取手段が生成した前記画像データを取得し、
前記検出手段は、前記第二のタグ情報読取手段が読み取った前記情報に基づき、前記画像データが管理対象データであるか否かを検出することを特徴とする印刷装置。
【請求項６】
請求項１乃至５いずれかに記載の印刷装置において、
前記第一の記録紙収容部および前記第二の記録紙収容部と、各前記記録紙収容部に無線タグが付された記録紙が収容されているか否かを示す情報とを対応づけて記憶する収容部情報記憶手段をさらに含むことを特徴とする印刷装置。
【請求項７】
無線タグ付き記録紙を収容する記録紙収容部と、
印刷対象の画像データを取得する画像データ取得手段と、
前記画像データを印刷する印刷手段と、
前記記録紙収容部に収容された記録紙を前記印刷手段に供給する記録紙供給手段と、
前記印刷手段に供給された記録紙に付された無線タグから識別情報を読み取るタグ情報読取手段と、
前記画像データの複写管理情報を、前記タグ情報読取手段が読み取った前記識別情報に対応づけて他の装置に送信する送信手段と、
を含むことを特徴とする印刷装置。
【請求項８】
請求項３に記載の印刷装置と、
前記第一のタグ情報読取手段が読み取った前記識別情報に対応づけて、前記画像データの複写管理情報を記憶する管理情報記憶手段と、
を含むことを特徴とする管理情報蓄積システム。
【請求項９】
請求項７に記載の印刷装置と、
前記タグ情報読取手段が読み取った前記識別情報に対応づけて、前記画像データの複写管理情報を記憶する管理情報記憶手段と、
を含むことを特徴とする管理情報蓄積システム。
【発明の詳細な説明】
【技術分野】
【０００１】
この発明は、印刷装置および管理情報蓄積システムに関し、とくに無線タグ情報を読取可能な印刷装置および管理情報蓄積システムに関する。
【背景技術】
【０００２】
近年、ＲＦＩＤ等の技術を用いて文書の管理を行う提案がなされている。特許文献１には、ユーザにＲＦＩＤを携帯させるとともに、機密文書にもＲＦＩＤを付け、複写機にリーダライタを設け、ユーザのアクセス権が複写する文書の機密レベルよりも高い場合にのみ複写を行えるように制御する技術が開示されている。
【特許文献１】特開２００１−１６０１１７号公報
【発明の開示】
【発明が解決しようとする課題】
【０００３】
しかし、従来、ＲＦＩＤが既に付された文書について、ＲＦＩＤから情報を読み出して文書の複写を制限する等の処理は行われていたが機密文書を複写した複写物に対する管理の対策が充分でなかった。そのため、もと文書の複写を制限しても、いったん複写物が作成されてしまうと、その複写物の複写には制限が加えられず、機密文書が拡散してしまうということがあった。
【０００４】
本発明はこうした点に鑑みてなされたもので、その目的は、複写物の管理を容易に行う技術の提供にある。
【課題を解決するための手段】
【０００５】
本発明によれば、無線タグ付き記録紙を収容する第一の記録紙収容部と、無線タグなし記録紙を収容する第二の記録紙収容部と、印刷対象の画像データを取得する画像データ取得手段と、前記画像データを印刷する印刷手段と、前記画像データが管理対象データであるか否かを検出する検出手段と、前記検出手段の検出結果に基づき、前記画像データが管理対象データの場合は前記第一の記録紙収容部を選択し、前記画像データが管理対象データでない場合は前記第二の記録紙収容部を選択して、選択した収容部に収容された記録紙を前記印刷手段に供給する記録紙供給手段と、を含み、前記印刷手段は、前記記録紙供給手段が供給した記録紙に前記画像データを印刷することを特徴とする印刷装置が提供される。
【０００６】
このようにすれば、管理対象データを無線タグ付きの記録紙に印刷することができ、後にその複写物に基づき、さらに複写等を行う際の管理を容易に行うことができる。
【０００７】
本発明の印刷装置は、前記画像データが管理対象データの場合に、前記印刷手段に供給された記録紙に付された無線タグから識別情報を読み取る第一のタグ情報読取手段と、前記第一のタグ情報読取手段が読み取った前記識別情報に対応づけて、前記画像データの複写管理情報を記憶する管理情報記憶手段と、をさらに含むことができる。
【０００８】
ここで、複写管理情報は、記録紙に付された無線タグの識別情報、その記録紙への印刷の指示を行ったユーザのユーザＩＤ、その記録紙に印刷された画像データが管理対象データであるか否か、その画像データの複写もとの原稿（または画像データ）の識別情報、画像データの縮小データ等を含む。また、この画像データが印刷された記録紙に基づき、さらに複写が行われた場合、複写枚数、日時、および複写したユーザのユーザＩＤ等が管理情報記憶手段に記憶されてよい。画像データが管理対象データである場合に、無線タグ付きの記録紙に印刷するとともに、無線タグの識別情報に複写管理情報を対応付けて記憶することにより、後に複写物の管理を容易に行うことができる。
【０００９】
本発明の印刷装置において、前記画像データが管理対象データの場合に、前記印刷手段に供給された記録紙に付された無線タグから識別情報を読み取る第一のタグ情報読取手段と、前記画像データの複写管理情報を、前記第一のタグ情報読取手段が読み取った前記識別情報に対応づけて他の装置に送信する送信手段と、をさらに含むことができる。
【００１０】
ここで、本発明の印刷装置と、他の装置とは、ネットワークを介して通信可能である。これにより、画像データが管理対象データである場合に、他の装置において、無線タグの識別情報に複写管理情報を対応付けて記憶することができ、後に複写物の管理を容易に行うことができる。
【００１１】
本発明の印刷装置において、前記画像データが管理対象データの場合であって、前記印刷手段に供給された記録紙に付された無線タグに情報書込が可能な場合に、前記無線タグに、当該画像データの複写管理情報を書き込むタグ情報読取書込手段をさらに含むことができる。
【００１２】
これにより、無線タグが付された記録紙に基づき、他の印刷装置等でさらに複写が行われる際に、その印刷装置で記録紙に付された無線タグから情報を読み取ることにより、この記録紙に印刷された画像データが管理対象データであるか否か等を検出することができる。
【００１３】
本発明の印刷装置は、原稿を読み取り、読み取った原稿に基づく画像データを生成する原稿読取手段と、前記原稿に無線タグが付されている場合、当該無線タグから情報を読み取る第二のタグ情報読取手段と、をさらに含むことができ、前記画像データ取得手段は、前記原稿読取手段が生成した前記画像データを取得することができ、前記検出手段は、前記第二のタグ情報読取手段が読み取った前記情報に基づき、前記画像データが管理対象データであるか否かを検出することができる。
【００１４】
本発明の印刷装置は、前記第一の記録紙収容部および前記第二の記録紙収容部と、各前記記録紙収容部に無線タグが付された記録紙が収容されているか否かを示す情報とを対応づけて記憶する収容部情報記憶手段をさらに含むことができる。
【００１５】
記録紙供給手段は、収容部情報記憶手段を参照して、第一の記録紙収容部または第二の記録紙収容部を選択することができる。ここで、収容部情報記憶手段は、各記録紙収容部にそれぞれ設けることもできる。また、各記録紙収容部には、タグ情報読取手段を設けることもでき、記録紙供給手段は、タグ情報読取手段のタグ情報の読取結果に基づき、各記録紙収容部に収容されている記録紙がタグ付き記録紙であるか否かを判断することもできる。
【００１６】
本発明によれば、無線タグ付き記録紙を収容する第一の記録紙収容部と、印刷対象の画像データを取得する画像データ取得手段と、前記画像データを印刷する印刷手段と、前記第一の記録紙収容部に収容された記録紙を前記印刷手段に供給する記録紙供給手段と、前記印刷手段に供給された記録紙に付された無線タグから識別情報を読み取るタグ情報読取手段と、前記画像データの複写管理情報を、前記第一のタグ情報読取手段が読み取った前記識別情報に対応づけて他の装置に送信する送信手段と、を含むことを特徴とする印刷装置が提供される。
【００１７】
このようにすれば、画像データの印刷履歴を蓄積していくことができ、複写物の管理を容易に行うことができる。
【００１８】
また、本発明によれば、上記いずれかに記載の印刷装置と、前記第一のタグ情報読取手段／タグ情報読取手段が読み取った前記識別情報に対応づけて、前記画像データの複写管理情報を記憶する管理情報記憶手段と、を含むことを特徴とする管理情報蓄積システムが提供される。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、複写物の管理を容易に行うことができる。
【発明を実施するための最良の形態】
【００２１】
（第一の実施の形態）
本実施の形態における印刷装置は、無線タグ付き記録紙を収容する第一の記録紙収容部（普通記録紙収容部）と、無線タグなし記録紙を収容する第二の記録紙収容部（無線タグ付き記録紙収容部）と、印刷対象の画像データを取得する画像データ取得手段と、画像データを印刷する印刷手段（印刷処理部）と、画像データが管理対象データであるか否かを検出する検出手段（複写管理制御部）と、検出手段の検出結果に基づき、画像データが管理対象データの場合は第一の記録紙収容部を選択し、画像データが管理対象データでない場合は第二の記録紙収容部を選択して、選択した収容部に収容された記録紙を印刷手段に供給する記録紙供給手段（記録紙選択給紙部）と、を含む。
【００２２】
図１は、本実施の形態における印刷装置の構成を示すブロック図である。
印刷装置１００は、指示受付部１０２、原稿読取部１０４、タグ情報読取部１０６、画像データ取得部１０８、複写管理制御部１１０、記録紙選択供給部１１２、無線タグ付き記録紙収容部１１４、普通記録紙収容部１１６、タグ情報読取・書込部１１８、印刷処理部１２０、管理情報記憶部１２２、通信制御部１２４、および収容部情報記憶部１２８を含む。
【００２３】
指示受付部１０２は、ユーザからの各種指示を受け付ける。たとえば、指示受付部１０２は、ユーザから原稿の読取指示や印刷する画像データが管理対象データであるか否か等の指定を受け付ける。
【００２４】
原稿読取部１０４は、原稿を読み取り、読み取った原稿に基づく画像データを生成する。原稿読取部１０４は、たとえばスキャナである。タグ情報読取部１０６は、無線タグのリーダである。本実施の形態において、タグ情報読取部１０６は、原稿読取部１０４に設置され、原稿読取部１０４が読み取る原稿に無線タグが付されている場合にその無線タグから情報を読み取る。
【００２５】
画像データ取得部１０８は、原稿読取部１０４が生成した画像データを取得する。また、画像データ取得部１０８は、通信制御部１２４およびネットワーク１５０を介して、ネットワーク１５０に接続されたユーザ端末２００等から画像データを取得することもできる。ここで、ネットワーク１５０は、たとえばＬＡＮ等のプライベートネットワークや、インターネット等のパブリックネットワークとすることができる。ここでは、これらをまとめてネットワーク１５０とする。
【００２６】
複写管理制御部１１０は、画像データ取得部１０８が取得した画像データが管理対象データであるか否かを検出する。たとえば、原稿読取部１０４が読み取った原稿に無線タグが付されており、タグ情報読取部１０６が無線タグから情報を読み取った場合、複写管理制御部１１０は、その情報に基づき、対応する画像データが管理対象データであるか否かを検出することができる。ここで、たとえば、原稿に付された無線タグにその原稿が管理対象データであるか否かを示す情報を記録しておくことができる。また、無線タグに原稿の識別情報を記録しておき、複写管理制御部１１０が識別情報に基づき、その原稿が管理対象データであるか否かを示す情報を取得するようにすることもできる。本実施の形態において、管理情報記憶部１２２は、原稿の識別情報とその原稿が管理対象データであるか否かを示す情報とを対応付けて記憶する。原稿に付された無線タグにその原稿が管理対象データであるか否かを示す情報が記録されていない場合、複写管理制御部１１０は、管理情報記憶部１２２を参照して、その原稿の識別情報に基づき、原稿が管理対象データであるか否かを検出することができる。
【００２７】
また、画像データ取得部１０８がユーザ端末２００から画像データを取得する場合、その画像データが管理対象データであるか否かを示す情報をユーザ端末２００において指定しておき、その情報を画像データに対応付けて印刷装置１００に送信するようにすることもできる。この場合、複写管理制御部１１０は、画像データに対応付けられた情報に基づき、その画像データが管理対象データであるか否かを検出することができる。また、複写管理制御部１１０は、指示受付部１０２がユーザから受け付けた指示に基づき、画像データが管理対象データであるか否かを検出することができる。複写管理制御部１１０は、画像データ取得部１０８が取得した画像データが管理対象データであるか否かが不明な場合は、図示しない表示部に「この原稿は管理対象データですか？」等の問い合わせを表示し、ユーザに指示受付部１０２から画像データが管理対象データであるか否かの指定を入力させるようにすることができる。
【００２８】
記録紙選択供給部１１２は、画像データ取得部１０８が取得した画像データが管理対象データである場合、そのコピーをしようとしているユーザにユーザＩＤを入力させることができる。この場合、記録紙選択供給部１１２は、入力されたユーザＩＤを記録するだけでもよいが、たとえばユーザが認証された場合のみコピーを許可するようにすることもできる。ユーザＩＤの入力は、ユーザに無線タグを携帯させ、その無線タグから情報を読み取ることにより行うこともでき、その他種々の方法でおこなうことができる。
【００２９】
記録紙選択供給部１１２は、複写管理制御部１１０の検出結果に基づき、画像データを印刷する記録紙を収容する収容部を選択し、選択した収容部に収容された記録紙を印刷処理部１２０に給紙する。本実施の形態において、無線タグ付き記録紙収容部１１４には、互いに重複しない識別情報を記憶したＩＣタグ等の無線タグが付された記録紙が収容される。また、普通記録紙収容部１１６には、無線タグが付されていない普通の記録紙が収容される。収容部情報記憶部１２８は、無線タグが付された記録紙が収容されている収容部（無線タグ付き記録紙収容部１１４）を記憶する。記録紙選択供給部１１２は、収容部情報記憶部１２８を参照して、画像データが管理をすべき対象のデータである場合には、無線タグ付き記録紙収容部１１４を選択して無線タグ付き記録紙収容部１１４から記録紙を給紙する。また、記録紙選択供給部１１２は、収容部情報記憶部１２８を参照して、画像データが管理をすべき対象のデータでない場合には、無線タグ付き記録紙収容部１１４を選択して普通記録紙収容部１１６から記録紙を給紙する。
【００３０】
なお、ここでは、無線タグ付き記録紙収容部１１４および普通記録紙収容部１１６しか記載していないが、印刷装置１００は、たとえば無線タグ付き記録紙および普通の記録紙それぞれにつき、サイズや給紙方向が異なる記録紙を収容する複数の収容部を含むことができる。また、ここでは、収容部情報記憶部１２８を一つしか示していないが、各収容部に収容部情報記憶部１２８を設けることもでき、各収容部に設けられた収容部情報記憶部１２８それぞれに、その収容部に無線タグ付きの記録紙が収容されているか否かを示す情報を記憶することもできる。
【００３１】
印刷処理部１２０は、記録紙選択供給部１１２から供給された記録紙に画像データ取得部１０８が取得した画像データを印刷する。印刷処理部１２０は、たとえばプリンタである。
【００３２】
タグ情報読取・書込部１１８は、無線タグのリーダ・ライタである。本実施の形態において、タグ情報読取・書込部１１８は、印刷処理部１２０に設置され、印刷処理部１２０が画像データを印刷する記録紙に無線タグが付されている場合にその無線タグから識別情報を読み取る。
【００３３】
複写管理制御部１１０は、タグ情報読取・書込部１１８から記録紙の識別情報を取得すると、その識別情報とその記録紙に印刷される画像データの複写管理情報とを対応付けて管理情報記憶部１２２に記憶する。また、記録紙に書込可能な無線タグが付されている場合、複写管理制御部１１０は、タグ情報読取・書込部１１８により、その無線タグに情報を書き込ませることもできる。この場合、タグ情報読取・書込部１１８は、無線タグに複写管理情報全体を書き込むこともでき、無線タグには複写管理情報の一部のみを書き込むこともできる。複写管理情報は、たとえば、原稿に付された無線タグの識別情報、その原稿の複写を行ったユーザのユーザＩＤ、その原稿が管理対象データであるか否か、その原稿の複製もとの原稿の識別情報、さらにその原稿に基づき複写がされた場合の枚数、日時、および複写したユーザのユーザＩＤ、さらに画像データの縮小データ等を含むことができる。
【００３４】
図２は、管理情報記憶部１２２の内部構成の一例を示す図である。
管理情報記憶部１２２は、識別情報欄と、ユーザＩＤ欄と、もとデータ識別情報欄と、管理要否欄と、複写履歴欄とを含む。複写履歴欄は、枚数欄と、日時欄と、ＩＤ欄と、ユーザＩＤ欄とを含む。
【００３５】
たとえば、識別情報「１００」の無線タグが付された原稿を作成したユーザのＩＤは「ａｂｃ」で、この原稿のもとのデータの識別情報は「００１」で、この原稿は管理対象となっている。また、この原稿に基づき、さらに複写が行われた場合、複写履歴が記憶される。ここでは、２００４年１月１日に５枚の複写が行われており、各複写物は、無線タグ付きの記録紙に印刷され、それらの識別情報は「２００」、「２０１」、「２０２」、「２０３」、および「２０４」である。また、この印刷を行ったユーザのＩＤは「ｂｃｄ」である。
【００３６】
ＩＤが「ｂｃｄ」のユーザが複写を行うと、その情報も管理情報記憶部１２２に記録される。ここでは、識別情報「２００」の記録紙の情報を示す。識別情報「２００」の無線タグが付された原稿を作成したユーザのＩＤは「ｂｃｄ」で、もとのデータの識別情報は「１００」で、この原稿は管理対象となっている。この原稿に基づく複写はまだ行われていないため、複写履歴欄は空欄になっている。
【００３７】
このようにすれば、管理対象のデータの複写が行われた場合にその親データ（もとのデータ）の識別情報や、子データ（複写された原稿）の識別情報等が対応付けて記憶されるので、複写物の管理を容易に行うことができる。
【００３８】
図３は、本実施の形態における印刷装置の処理手順の一例を示すフローチャートである。
画像データの印刷指示があると（Ｓ１００のＹＥＳ）、画像データ取得部１０８は画像データを取得する（Ｓ１０２）。複写管理制御部１１０は、画像データ取得部１０８が取得した画像データが管理対象データであるか否かを検出する（Ｓ１０４）。画像データが管理対象データである場合（Ｓ１０４のＹＥＳ）、記録紙選択供給部１１２は、無線タグ付き記録紙収容部１１４を選択し、無線タグ付き記録紙収容部１１４から印刷処理部１２０に記録紙を供給する（Ｓ１０６）。タグ情報読取・書込部１１８は、印刷処理部１２０に供給された記録紙に付された無線タグから識別情報を読み出し、複写管理制御部１１０に通知する。複写管理制御部１１０は、記録紙の識別情報とその複写管理情報とを対応付けて管理情報記憶部１２２に記録する（Ｓ１０８）。印刷処理部１２０は、供給された記録紙に画像データを印刷する（Ｓ１１０）。
【００３９】
ステップＳ１０４において、画像データが管理対象データではない場合（Ｓ１０４のＮＯ）、記録紙選択供給部１１２は、普通記録紙収容部１１６を選択し、普通記録紙収容部１１６から印刷処理部１２０に記録紙を供給する（Ｓ１１２）。この後、ステップＳ１１０に進み、印刷処理を行う。
【００４０】
本実施の形態における印刷装置１００によれば、管理対象データを無線タグ付きの記録紙に印刷することができ、後にその複写物に基づき、さらに複写等を行う際の管理を容易に行うことができる。また、印刷する画像データが管理対象データである場合に、無線タグ付きの記録紙に印刷するとともに、無線タグの識別情報に複写管理情報を対応付けて記憶することにより、後に複写物の管理を容易に行うことができる。
【００４１】
（第二の実施の形態）
図４は、本実施の形態における管理情報蓄積システム３０４の構成を示す図である。
管理情報蓄積システム３０４は、印刷装置１００、ネットワーク１５０、サーバ装置３００、および管理情報記憶部３０２を含む。本実施の形態において、印刷装置１００は、管理情報記憶部１２２を有しない点で第一の実施の形態における印刷装置１００と異なる。なお、ここでは、一つの印刷装置１００しか示していないが、本実施の形態において、複数の印刷装置１００でサーバ装置３００および管理情報記憶部３０２を共有することができる。
【００４２】
管理情報記憶部３０２の内部構成は、第一の実施の形態における管理情報記憶部１２２の内部構成と同様とすることができる。また、管理情報記憶部３０２は、たとえば、図２を参照して説明した管理情報記憶部１２２の内部構成に加えて、たとえば複写履歴欄に、複写が行われた装置の装置ＩＤを記憶する欄が含まれるようにすることもできる。
【００４３】
本実施の形態における管理情報蓄積システム３０４の処理手順は、基本的に第一の実施の形態において図３を参照して説明した印刷装置１００の処理手順と同様であるので、詳細な説明は省略する。以下、必要な部分だけ図３を参照して説明する。
【００４４】
ステップＳ１０４において、印刷対象の原稿の識別情報を取得している場合、複写管理制御部１１０は、通信制御部１２４およびネットワーク１５０を介してサーバ装置３００に、その識別情報に対応付けられた複写管理情報を照会する。サーバ装置３００は、管理情報記憶部３０２を参照して、複写管理制御部１１０から取得した識別情報に対応付けられた複写管理情報がある場合には、その情報を複写管理制御部１１０に送信する。この場合、複写管理制御部１１０は、サーバ装置３００から送信された情報に基づき、印刷対象の原稿が管理対象データであるか否かを判断することができる。
【００４５】
ステップＳ１０８において、複写管理制御部１１０は、記録紙の識別情報とその複写管理情報とを対応付けて通信制御部１２４およびネットワーク１５０を介してサーバ装置３００に送信する。サーバ装置３００は、記録紙の識別情報とその複写管理情報とを対応付けて管理情報記憶部３０２に記録する。またこのとき、複写管理制御部１１０は、印刷装置１００の識別情報も同時にサーバ装置３００に送信することができ、サーバ装置３００は、印刷装置１００の識別情報を記録紙の識別情報およびその複写管理情報に対応付けて記憶することもできる。
【００４６】
なお、本実施の形態においても、各印刷装置１００は、図１に示した印刷装置１００と同様、管理情報記憶部１２２を含むことができる。この場合、ステップＳ１０８において、印刷処理が行われた印刷装置１００の複写管理制御部１１０は、自装置内の管理情報記憶部１２２に記録紙の識別情報とその複写管理情報とを対応付けて記録するとともに、これらの情報をサーバ装置３００に送信する処理を行う。このようにすれば、自装置内で複写処理が行われた画像データについては、その複写管理情報を自装置の管理情報記憶部１２２から取得することができるとともに、他の装置で複写処理が行われた画像データについては、サーバ装置３００に照会することにより、その複写管理情報を取得することができる。
【００４７】
本実施の形態における管理情報蓄積システム３０４によっても、第一の実施の形態における印刷装置１００と同様のメリットが得られる。さらに、本実施の形態においては、各印刷装置１００における複写管理情報を共有することができるので、複写物の管理をより効果的に行うことができる。
【００４８】
以上の各実施の形態の印刷装置１００の複写管理制御部１１０等の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明した各図は、ハードウエア単位の構成ではなく、機能単位のブロックを示している。
【００４９】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５０】
実施の形態においては、印刷装置１００が収容部情報記憶部１２８を有する構成を示したが、無線タグ付き記録紙収容部１１４や普通記録紙収容部１１６にもタグリーダを設けておき、記録紙選択供給部１１２は、タグリーダの読取結果に応じて、無線タグ付き記録紙が収容された記録紙収容部を選択することもできる。
【００５１】
また、以上の実施の形態においては、印刷装置１００が普通記録紙収容部１１６を有し、記録紙選択供給部１１２が画像データを印刷する記録紙を収容する収容部を選択する形態を例として説明したが、印刷装置１００は、普通記録紙収容部１１６を有しない構成とすることもできる。この場合、タグ情報読取・書込部１１８は、印刷処理部１２０が画像データを印刷する際に、記録紙に付された無線タグから識別情報を読み取る。複写管理制御部１１０は、タグ情報読取・書込部１１８から記録紙の識別情報を取得すると、その識別情報とその記録紙に印刷される画像データの複写管理情報とを対応付けて管理情報記憶部１２２に記憶したり、サーバ装置３００に送信したりする。
【００５２】
以上の実施の形態において説明した印刷装置１００は、プリンタ、複写機、またはこれらの機能等にファクシミリ送信機能を含めた複合機とすることができる。
【図面の簡単な説明】
【００５３】
【図１】実施の形態における印刷装置の構成を示すブロック図である。
【図２】管理情報記憶部の内部構造の一例を示す図である。
【図３】実施の形態における印刷装置の処理手順の一例を示すフローチャートである。
【図４】実施の形態における管理情報蓄積システムの構成を示すブロック図である。
【符号の説明】
【００５４】
１００  印刷装置
１０２  指示受付部
１０４  原稿読取部
１０６  タグ情報読取部
１０８  画像データ取得部
１１０  複写管理制御部
１１２  記録紙選択供給部
１１４  無線タグ付き記録紙収容部
１１６  普通記録紙収容部
１１８  タグ情報読取・書込部
１２０  印刷処理部
１２２  管理情報記憶部
１２４  通信制御部
１５０  ネットワーク
２００  ユーザ端末
３００  サーバ装置
３０２  管理情報記憶部
３０４  管理情報蓄積システム
【図１】
2006116746.tif 000003
【図２】
2006116746.tif 000004
【図３】
2006116746.tif 000005
【図４】
2006116746.tif 000006